(57)【要約】      （修正有）【課題】表示面が斜め上方を向くと共に、意図しない外力が作用しても、容易には外れない商品陳列用容器及び商品陳列具を提供する。【解決手段】上部が開口し側壁を有する商品陳列用容器１０であって、側壁１は、側壁上部が鉛直壁１１である側壁を含み、鉛直壁１１には周方向に複数の貫通孔２が所定間隔で形成されている。【選択図】図１
0003182518.tif 000002
【実用新案登録請求の範囲】
【請求項１】
上部が開口し側壁を有する有底容器であって、
該側壁は、側壁上部が鉛直壁である側壁を含み、該鉛直壁には周方向に複数の貫通孔が所定間隔で形成されていることを特徴とする商品陳列用容器。
【請求項２】
該側壁の鉛直壁に連続する下部は、傾斜壁又は鉛直壁であることを特徴とする請求項１記載の商品陳列用容器。
【請求項３】
浅底容器であることを特徴とする請求項１又は２記載の商品陳列用容器。
【請求項４】
該側壁が、直線壁を含むことを特徴とする請求項１〜３のいずれか１項に記載の商品陳列用容器。
【請求項５】
請求項１〜４記載の商品陳列用容器と、該側壁に掛り止めされる商品表示具を有し、該商品表示具は、
陳列商品の情報等を表示する表示本体部と、
該表示本体部の背面に形成される下方が開口のフック状である引っ掛け部と、
該表示本体部の背面に形成される後方下り傾斜の傾斜面を有する後方突起部を備え、
該掛り止めは、該引っ掛け部が該貫通孔の上方の側壁に掛けられ、該後方突起部が、該鉛直壁に当接して、該表示本体部の表示面が斜め上方を向いていることを特徴とする商品陳列具。
【請求項６】
該引っ掛け部は、該表示本体部の背面から後方へ延出する水平部材と、該水平部材の後端から下方に屈曲して延出する垂下部とからなるフック状であることを特徴とする請求項５記載の商品陳列具。
【請求項７】
該水平部材は、該表示本体部の背面の上端から後方へ延出する部材であることを特徴とする請求項６記載の商品陳列具。
【請求項８】
該引っ掛け部は、左右一対の腕状であることを特徴とする請求項５〜７のいずれか１項に記載の商品陳列具。
【請求項９】
背面視において、左右一対の引っ掛け部間に、該後方突起部が位置することを特徴とする請求項８記載の商品陳列具。
【考案の詳細な説明】
【技術分野】
【０００１】
本考案は、主にコンビニ等で使用される底の浅い商品陳列用容器及びこれに商品の価格等の情報表示に好適な商品表示具を取り付けた商品陳列具である。
【背景技術】
【０００２】
従来、コンビニ、スーパー等において、商品の種類によっては、上方が開口している底の浅い容器に商品を入れて販売する形態がある。また、これらの陳列用容器には、商品の価格等の商品情報を表示する商品表示具が取り付けられる。
【０００３】
陳列用容器に商品表示具を取り付ける方法として、陳列用容器の側壁の頂部に、クリップ若しくはフック止めにより商品表示具を取り付ける方法が挙げられる。この方法は商品の近くで且つ商品情報を直接的に表示でき都合がよい。具体的には、図１５に示すように、浅底容器１００の下方に向けて漸次縮径となる傾斜状の側壁１０１に、商品表示具２００をフック止めで取り付けるものである。なお、商品表示具２００は、表示本体２０１とフック状の引っ掛け部２０２を備える。
【考案の概要】
【考案が解決しようとする課題】
【０００４】
しかしながら、図１５の商品表示具１００は、側壁１０１の傾斜の影響を受け、表示面２０３が横向きとなるため、視線が高い顧客からは見え難いという問題がある。また、陳列用容器１０１は、通路近くのテーブル等に置かれることが多く、商品表示具２００は顧客による意図しない接触により、陳列用容器１０１から外れるという問題がある。
【０００５】
従って、本考案の目的は、商品表示具の表示面が斜め上方を向くと共に、意図しない外力が作用しても、容易には外れない商品陳列具及びこれに用いる商品陳列用容器を提供することにある。
【課題を解決するための手段】
【０００６】
すなわち、本考案は上記従来の課題を解決したものであって、上部が開口し側壁を有する有底容器であって、該側壁は、側壁上部が鉛直壁である側壁を含み、該鉛直壁には周方向に複数の貫通孔が所定間隔で形成されていることを特徴とする商品陳列用容器を提供するものである。
【０００７】
また、本考案は、該側壁の鉛直壁に連続する下部は、傾斜壁又は鉛直壁であることを特徴とする前記商品陳列用容器を提供するものである。
【０００８】
また、本考案は、浅底容器であることを特徴とする前記商品陳列用容器を提供するものである。
【０００９】
また、本考案は、該側壁が、直線壁を含むことを特徴とする前記商品陳列用容器を提供するものである。
【００１０】
また、本考案は、前記商品陳列用容器と、該側壁に掛り止めされる商品表示具を有し、該商品表示具は、陳列商品の情報等を表示する表示本体部と、該表示本体部の背面に形成される下方が開口のフック状である引っ掛け部と、該表示本体部の背面に形成される後方下り傾斜の傾斜面を有する後方突起部を備え、該掛り止めは、該貫通孔の上方の側壁に掛けられ、該後方突起部が、該鉛直壁に当接して、該表示本体部の表示面が斜め上方を向いていることを特徴とする商品陳列具を提供するものである。  
【００１１】
また、本考案は、該引っ掛け部は、該表示本体部の背面から後方へ延出する水平部材と、該水平部材の後端から下方に屈曲して延出する垂下部とからなるフック状であることを特徴とする前記商品陳列具を提供するものである。
【００１２】
また、本考案は、該水平部材は、該表示本体部の背面の上端から後方へ延出する部材であることを特徴とする前記商品陳列具を提供するものである。
【００１３】
また、本考案は、該引っ掛け部は、左右一対の腕状であることを特徴とする前記商品陳列具を提供するものである。
【００１４】
また、本考案は、背面視において、左右一対の引っ掛け部間に、該後方突起部が位置することを特徴とする前記商品陳列具を提供するものである。
【考案の効果】
【００１５】
本考案によれば、商品表示具の表示面が斜め上方を向くと共に、意図しない外力が作用しても、容易には外れない商品陳列具を提供できる。また、該商品陳列具に用いると共に、好適な商品表示を実現できる商品陳列用容器を提供できる。
【図面の簡単な説明】
【００１６】
【図１】本考案の商品陳列用容器の斜視図である。
【図２】図１の商品陳列用容器の正面図である。
【図３】図１の商品陳列用容器の側面図である。
【図４】本考案で使用する商品表示具の斜視図である。
【図５】図４の商品表示具を裏側から見た斜視図である。
【図６】図４の商品表示具の側面図である。
【図７】本考案の商品陳列具の分解図である。
【図８】本考案の商品陳列具の斜視図である。
【図９】図１の商品陳列用容器に図４の商品表示具を取り付ける方法を説明する図である。
【図１０】図１の商品陳列用容器に図４の商品表示具を取り付ける方法を説明する他の図である。
【図１１】本考案の商品陳列具の他の斜視図である。
【図１２】図１１の商品陳列具における商品表示具の掛り止めを説明する図である。
【図１３】図１１の商品陳列具における商品表示具の掛り止めを説明する他の図である。
【図１４】図１１の商品陳列具における商品表示具の掛り止めを説明する他の図である。
【図１５】従来の商品陳列具を説明する図である。
【考案を実施するための形態】
【００１７】
本考案の実施の形態における商品陳列用容器（以下、単に「陳列容器」とも言う。）を図１〜図３を参照して説明する。陳列容器１０は、上部が開口し側壁１を有する有底容器であって、側壁１は、側壁上部が鉛直壁１１である側壁１ａを含み、鉛直壁１１には周方向（横方向）に複数の貫通孔１２が所定間隔で形成されている。
【００１８】
本例の陳列容器１０は、平面視が略四角形の浅底容器であり、コンビニ等における惣菜の販売に好適なものである。略四角形は、角がアール形状の四角形を含む意味である。本考案において、容器形状は、図１の形状に限定されず、円形、楕円形又は不定形等であってもよく、また、深底容器であってもよい。
【００１９】
陳列容器１０の側壁１は、直線壁を含むものである。すなわち、側壁１は、横方向に直線的に連続する一辺が直線壁である、前方側壁１ａ、後方側壁１ｄ、左右側壁１ｂ、１ｃが連続して囲い状の四角形となっている。また、左右側壁１ｂ、１ｃは、上方に僅かに拡大する傾斜壁である。また、前方側壁１ａと後方側壁１ｄは、側壁上部が鉛直壁１１であり、鉛直壁１１に連続する下部は、下方に僅かに縮小する傾斜壁である。側壁全体を概ね傾斜壁とすることで、陳列容器として使い勝手がよくなる。また、前方側壁１ａの上部に鉛直壁１１を設けることで、本考案で使用する商品表示具２０の表示面を斜め上方とすることができる。
【００２０】
前方側壁１ａの鉛直壁１１には、周方向（横方向）に６つの貫通孔２が所定間隔で形成されている。鉛直壁１１の高さは、貫通孔１２を形成できる寸法であればよく、少なくとも１５ｍｍ程度、好ましくは２０ｍｍ〜３０ｍｍ程度である。また、鉛直壁１１における貫通孔１２の上端と鉛直壁１１の上端間（図２中、符号ｗ）は、商品表示具２０の引っ掛け部２３が掛り、且つ商品表示具２１を支持する部材となるため、概ね５〜１０ｍｍ程度とする。この掛り部の寸法が小さ過ぎると、支持強度が弱くなり、大き過ぎると引っ掛け部２３の奥行き長さが大きくなる。
【００２１】
貫通孔２は、商品表示具２０の引っ掛け部２３ａの一部が通る大きさの略長方形状の孔である。本例の商品表示具２０は一対の引っ掛け部２３ａ、２３ｂを有し、陳列容器１０は６個の貫通孔２を有するため、１個の商品表示具２０であれば、異なる３箇所のいずれかに設置でき、３個の商品表示具２０であれば、同時に、３個の商品表示具２０を並べて使用することができる。また、隣接する２つの貫通孔２は、一対の貫通孔（２つ孔）として、商品表示具２０の一対の引っ掛け部２３ａに対応する。本考案において、貫通孔２は、図２のような長方形状のものに限定されず、例えば楕円状、扁平状、円形状等であってもよい。なお、貫通孔２は、商品表示具２０の引っ掛け部２３ａが通る大きさの孔であり、且つ複数が所定の間隔離れて形成されているため、隣接する貫通孔間の壁が、横方向への移動を規制するため、横方向に意図しない外力が作用しても、横ずれすることがない。横長の貫通孔であると、規制壁がなく、左右方向に横ずれが生じ易くなる。
【００２２】
陳列容器１０は、図１〜図３のものに限定されず、例えば、前方側壁１ａ、後方側壁１ｄ及び左右側壁１ｂ、１ｃの全てに、側壁の上部に鉛直壁１１を形成し、全周に亘り貫通孔２を形成してもよい。これにより、所望の方向に向けて商品表示具２０を取り付けることができる。なお、本考案において、商品表示具２０の引っ掛け部２３は、一対ものに限定されず、１本でもよい。この場合、貫通孔２は、１つ又はランダムなピッチで複数個とすればよい。
【００２３】
次に、本考案で使用する商品表示具２０の一例を図４〜図６を参照して説明する。商品表示具２０は、陳列商品の情報等を表示する表示本体部２１と、表示本体部２１の背面に形成される下方が開口のフック状である引っ掛け部２３と、表示本体部２１の背面に形成される後方下り傾斜の傾斜面２５１を有する後方突起部２５を備え、引っ掛け部２３と後方突起部２５は、横方向において隣接するものである。本例では、一対の引っ掛け部２３ａ、２３ｂ間に後方突起部２５が位置している。
【００２４】
本体表示部２１は、表面が表示面２１であり、液晶、表示板等種々の表示媒体が形成される部分である。引っ掛け部２３は、本例では、表示本体部２１の背面、特に背面の上端から後方へ延出する水平部材２３１ａと、水平部材２３１ａの後端から下方に屈曲して延出する垂下部２３２ａとからなる左右一対の腕状（フック状）である。これにより、側壁１の鉛直壁１１に上から掛けることができ、また、顧客の接触等の意図しない外力により商品表示具２０が外れることがない。垂下部２３２ａの先端は僅かに外側に屈曲している。これにより、鉛直壁１１に引っ掛け部２３を掛け易くなる。
【００２５】
後方突起部２５は、表示本体部２１の裏面上端から後方下り傾斜で傾斜面２５１を形成し、次いで前方下り傾斜で表示本体部２１の裏面に接続する一対の板状体である。後方突起部２５の頂部２５１は、側面視で引っ掛け部２３の垂下部２３２ａのほぼ先端位置であり、僅かな開口隙間を有している。この開口隙間は陳列容器の側壁１１の厚みよりやや小である。これにより、商品表示具２０を側壁１に掛ける際、引っ掛け部２３の挟持力であるバネ力に抗して隙間を開き、下方に押しつけて側壁１１に容易に取り付けることができる。また、顧客の接触等の意図しない外力により商品表示具２０が上下逆さ程度まで、回転しても外れることがない。後方突起部２５の傾斜面２５１の幅は極小さくてもよく、線接触程度のものであってもよい。線接触程度の傾斜面２５１であっても、商品表示具２０を斜め上向きに設置することができる。本考案において、後方突起部２５は、一対の板状体に限定されず、傾斜面２５１の幅が大の１ケのものであってもよい。
【００２６】
また、商品表示具２０は、図６に示すように、引っ掛け部２３と後方突起部２５間に内部隙間Ｘを有する。内部隙間Ｘは、貫通孔２の上部の鉛直壁１１１が入る隙間である。これにより、陳列容器１０の側壁１に商品表示具２０を取り付けた際、貫通孔２の上部の鉛直壁１１１を引っ掛け部２３と後方突起部２５で挟持することができる（図１０参照）。
【００２７】
次に、商品陳列具３０を図７〜図１４を参照して説明する。商品陳列具３０は、陳列容器１０と、側壁１ａに掛り止めされる商品表示具２０とを有する。陳列容器１０は図１〜図３に示されるものであり、商品表示具２０は、図４〜図６に示されるものである。商品表示具２０の陳列容器１０への掛り止めは、引っ掛け部２３が貫通孔２の上部の側壁１１１に掛けられることで行なわれる（図７〜図１０）。この際、後方突起部２５の傾斜面２５１が、２つの貫通孔２間に位置する鉛直壁１１に当接し、引っ掛け部２３の垂下部２３２の先端部が貫通孔２内に位置する。これにより、表示本体部２１の表示面２２が斜め上方を向くことになる（図１０及び図１１）。表示本体部２１の表示面２２が斜め上方を向くことで、顧客から表示本体部２１の商品情報が見易くなる。なお、引っ掛け部２３の垂下部２３２の長さは、取付状態において、垂下部２３２の先端が貫通孔２の下端に位置する長さ又はそれより小の長さとする。これにより、図１２〜図１４に示すように、商品表示具２０を上方に押しやる意図しない外力が作用しても貫通孔２の上部の側壁１１１を回転軸として、回動し、引っ掛け部２３が貫通孔２を後方から前方へ通り抜けることができる。
【００２８】
商品表示具２０は陳列容器１０から外れ難いものであるが、この作用を図１２〜図１４を参照して説明する。商品表示具２０に対し、例えば、顧客等が接触することで、上方への力が作用した場合、商品表示具２０は、貫通孔２の上部の側壁１１１を回転軸として、Ｙ方向に回動する。この際、引っ掛け部２３の先端は貫通孔２を前方側へ通り抜けることができる（図１２）。上方への力が大の場合、Ｙ方向への回動が更に進み、図１３及び図１４のように、商品表示具２０が上下逆さ程度まで回転しても、貫通孔２の上部の側壁１１１を後方突起部２５と引っ掛け部２３で挟持することは維持されたままであり、且つ後方突起部２５と引っ掛け部２３間の隙間は、貫通孔２の上部の側壁１１１の断面寸法（縦寸法又は横寸法）より小さいため、商品表示具２０が陳列容器１０から外れることがない。
【００２９】
本考案の陳列容器及び商品陳列具は、上記実施の形態例に限定されず、種々の変形を採ることができる。また、商品表示具２０の設置個数は１個に限定されず、複数であってもよい。また、商品表示具２０の引っ掛け部２３と後方突起部２５は、表示本体部２１の裏面上部に位置する形態に限定されず、裏面上部のやや下方あるいは裏面中央であってもよい。
【産業上の利用可能性】
【００３０】
本考案の商品陳列具は、特にコンビニで使用される浅底容器にクリップ式の商品表示具を掛り止めする際、表示面を斜め上方に向けることができ、顧客からみ易くなる。また、商品表示具が顧客の手や体と接触し、上方側への作用力を受けても、陳列容器から容易に脱落しないため、陳列管理面からも都合がよい。
【符号の説明】
【００３１】
１      側壁
１ａ    前方側壁
１ｄ    後方側壁
１ｂ、１ｃ    左右側壁
２      貫通孔
１０    商品陳列用容器
１１    鉛直壁
１２    傾斜壁
２０    商品表示体
２１    表示本体部
２２    表示面
２３、２３ａ、２３ｂ    引っ掛け部
３０    商品陳列具
【図１】
0003182518.tif 000003
【図２】
0003182518.tif 000004
【図３】
0003182518.tif 000005
【図４】
0003182518.tif 000006
【図５】
0003182518.tif 000007
【図６】
0003182518.tif 000008
【図７】
0003182518.tif 000009
【図８】
0003182518.tif 000010
【図９】
0003182518.tif 000011
【図１０】
0003182518.tif 000012
【図１１】
0003182518.tif 000013
【図１２】
0003182518.tif 000014
【図１３】
0003182518.tif 000015
【図１４】
0003182518.tif 000016
【図１５】
0003182518.tif 000017